(57)【要約】【課題】人工魚礁又は人工藻場の構成要素である通水性ケースにおいて、加工が容易かつ安価にできながら、できるだけ多くの貝殻を充填でき、しかも隙間なく貝殻を充填できるようにする。【解決手段】一部又は全部に通水面を有する容器で、内部に貝殻を充填する通水性ケース１において、少なくとも側面21を通水面とし、前記側面21に囲まれた開放端の一方を底面22で塞いだケース本体２と、前記ケース本体２の開放端の他方である開口部23を着脱自在に塞ぐ蓋体３とから構成され、ケース本体は、側面21が底面22に向かって窄む錐台状になっていることを特徴とする。【選択図】図１
2014226054.tif 000002
【特許請求の範囲】
【請求項１】
一部又は全部に通水面を有する容器で、内部に貝殻を充填する通水性ケースにおいて、
少なくとも側面を通水面とし、前記側面に囲まれた開放端の一方を底面で塞いだケース本体と、前記ケース本体の開放端の他方を着脱自在に塞ぐ蓋体とから構成され、
ケース本体は、側面が底面に向かって窄む錐台状になっていることを特徴とする通水性ケース。
【請求項２】
ケース本体は、底面も通水面である請求項１記載の通水性ケース。
【請求項３】
蓋体は、通水面である請求項１又は２いずれか記載の通水性ケース。
【請求項４】
ケース本体は、ケース本体の底面中心と前記ケース本体の開放端の他端を塞いだ蓋体中心とを結ぶ軸線に直交する仮想面に倣った補強外枠を前記底面及び開放端の他端に沿って設け、前記補強外枠それぞれに取付部を形成した請求項１〜３いずれか記載の通水性ケース。
【発明の詳細な説明】
【技術分野】
【０００１】
本発明は、人工魚礁や人工藻場を構築する培養基質単位として、貝殻を充填する通水性ケースに関する。
【背景技術】
【０００２】
従来から、主に廃棄される牡蠣や帆立貝等の貝殻を利用した人工魚礁や人工藻場が作られている。貝殻は、表面が複雑な多孔質で、集積すると隙間を多数形成する構造的な特徴を有する。人工魚礁や人工藻場は、海中に集積した貝殻の前記特徴を活かし、海中を浮遊する海藻の胞子を捉えて着床させている。しかし、貝殻は、そのまま海中に堆積させても海流によって散逸し、胞子を十分に捕捉及び着床できない。これから、貝殻を充填した通水性ケースを適当な沈設構造物に固定して、人工魚礁や人工藻場が構築されている（特許文献１〜特許文献５）。
【０００３】
通水性ケースは、通水面で囲まれた直方体外形とすると、充填できる貝殻の量を多くできる（特許文献１及び特許文献２）。特許文献１が開示する通水性ケース（ケース）は、鋼製のアングル材で構成された枠体に、金属製のメッシュを張ったり（特許文献１・第１図）、スチール棒を適当間隔で架設したり（特許文献１・第４図）して貝殻を充填し（特許文献１が開示する通水性ケースは、特にまだこ魚礁用にたこ壷を収納している）、蓋をビス止めして構成する（特許文献１・第５頁第７行〜第10行）。特許文献１が開示する通水性ケースは、全体が金属製であるから、人工魚礁を構成する枠体（沈設構造物）に載せた上で、溶接により位置固定できる。
【０００４】
特許文献２が開示する通水性ケース（通水性容器）は、メッシュ壁面に囲まれた樹脂製の容器で、取付部材として鋼製棒材を貫通させた構成である。複数の通水性ケースは、間隔を空けて、同じ取付部材を貫通させている。こうして取付部材を貫通させた複数の通水性ケースは、一体のモジュールとして取り扱われ（特許文献２・［図１］［図２］）、前記取付部材を鋼製枠体に溶接したり（特許文献２・［0020］［0021］［図14］）、コンクリート製枠体に端部を埋め込んだり（特許文献２・［0022］［図15］）して位置固定する。
【０００５】
通水性ケースは、小型化して体積当たりの表面積を増やすと、充填した貝殻に胞子を付着させる機会が増やせる（特許文献３及び特許文献４）。特許文献３が開示する通水性ケース（網体）は、円柱外形の樹脂製又は鋼製の多孔状パイプ（特許文献３・［0008］）で、間隔を空けて横並びにした複数本それぞれの両端をチャンネル鋼（鋼製チャンネル）で連結し、パネルとしてモジュール化している（特許文献３・［0013］〜［0015］［図２］）。これにより、特許文献３が開示する通水性ケースは、人工魚礁を構成する沈設構造物に前記チャンネル鋼を溶接して、パネルを取り付けることができる（特許文献３・［0022］）。
【０００６】
特許文献４が開示する通水性ケース（単位ケース）は、帆立貝殻を立てた状態で並べることのできる外径を有する円柱外形又は角柱外形の樹脂製の筒体で、保形性を確保するため、通水性ケースの延在方向に沿った樹脂製又は鋼製の補強材を、断面周方向等間隔で複数本（例示は４本）添わせている（特許文献４・［0011］［0014］［図４］［図５］）。特許文献４が開示する通水性ケースは、人工魚礁を構成する沈設構造物に端部を溶接（鋼製の沈設構造物）又は埋め込んで（コンクリート製の沈設構造物）、多数を並べて取り付ける（特許文献４・［図１］）。
【０００７】
通水性ケースには、安価かつ容易に製造できつつ、強度の確保が求められる。特許文献５が開示する通水性ケースは、両端のケース蓋を複数の通水体補強枠で連結した枠体と、前記枠体内部に保持される筒体とから構成され、通水体補強枠に囲まれ、両端の開口部をそれぞれケース蓋で塞がれた筒体の内部に貝殻を充填し、前記貝殻によって筒体を通水体補強枠に圧接し、固定している（特許文献５・［0008］）。筒体は、集魚効果や軽量化が要求される場合、細い鉄線や樹脂被覆した防錆加工鉄線を網加工したネットを使用し、また軽量化や低コスト化が要求される場合、樹脂製のネットが使用される（特許文献５・［0009］）。
【０００８】
特許文献５が開示する通水性ケースは、ケース蓋に設けられた金属製の固定フランジを金属製取付材に溶接することにより、複数を並べて一体化した集魚パネルを構成し、人工魚礁を構成する沈設構造物に前記金属製取付材を溶接（鋼製の沈設構造物）又は埋め込んで（コンクリート製の沈設構造物）取り付ける（特許文献５・［0019］［0021］［図12］［図13］［図14］［図15］）。固定フランジは、ケース蓋の平面に直交する周面を有する補強外枠で、例示された断面四角形のほか、断面三角形や断面円形でもよいとしている（特許文献５・［0027］）。
【先行技術文献】
【特許文献】
【０００９】
【特許文献１】実全昭62-001567号公報
【特許文献２】特開平11-289905号公報
【特許文献３】特開平07-236385号公報
【特許文献４】特開平09-163894号公報
【特許文献５】特開2005-253341号公報
【発明の概要】
【発明が解決しようとする課題】
【００１０】
特許文献１、特許文献２又は特許文献５が開示する通水性ケースは、特許文献３又は特許文献４が開示する通水性ケースに比べ、断面四角形の一辺と断面円形の直径とが等しければ、相対的に容積が大きく、より多くの貝殻を充填できる。これは、廃棄される貝殻を利用する観点から好ましく、断面四角形の通水性ケースの利点である。このほか、断面四角形の通水性ケースは、単独で安定して置いておくことができるため、沈設構造物に取り付ける作業が容易になる利点もある。
【００１１】
しかし、断面四角形の通水性ケースは、貝殻を充填する際、一面を開き、前記一面に対向する他面に向けて貝殻を押し込むところ、前記他面の周縁に対して密に貝殻を押し込むことが難しく、前記他面の周縁に沿って隙間の形成されることがあった。前記隙間は、特に海流の激しい海域において、充填した貝殻を海流の影響で動かして破損、散逸させる空間を提供し、胞子の付着や海藻の定着を遅らせたり、定着範囲を狭めたりして、良質な人工魚礁や人工藻場の形成を妨げる要因の一つになっていた。このように、通水性ケースは、断面形状に起因する問題があった。そこで、加工が容易かつ安価にできながら、できるだけ多くの貝殻を充填でき、しかも隙間なく貝殻を充填することのできる通水性ケースを開発するため、検討した。
【課題を解決するための手段】
【００１２】
検討の結果開発したものが、一部又は全部に通水面を有する容器で、内部に貝殻を充填する通水性ケースにおいて、少なくとも側面を通水面とし、前記側面に囲まれた開放端の一方を底面で塞いだケース本体と、前記ケース本体の開放端の他方を着脱自在に塞ぐ蓋体とから構成され、ケース本体は、側面が底面に向かって窄む錐台状になっていることを特徴とする通水性ケースである。通水性ケースを構成する側面（通水面）、底面及び蓋体は、金属製、樹脂製又は両者の混在を問わない。通水面は、通水孔となるスリット又は開口を多数設けた平面（格子面やメッシュ面）として構成される。
【００１３】
「一部又は全部に通水面を有する容器で、内部に貝殻を充填する」とは、海水を流入又は流出させる通水面を少なくとも一部に有する容器の内部へ、動かないように貝殻を密に投入して前記容器の内部に閉じ込めることを意味する。容器は、例えば開口部（開放端の一方）から内部に貝殻を投入させ、前記開口部を別体の蓋体で閉塞する。通水性ケースは、ケース本体の側面の一部が通水面である必要があるが、好ましくは側面全部が通水面であり、更にはケース本体の底面や蓋体も、通水面であるとよい。
【００１４】
通水性ケースは、内部に貝殻を充填した人工魚礁又は人工藻場の構成要素で、通水性ケース単体で沈設したり、鋼製枠体やコンクリートブロックに取り付けて人工魚礁又は人工藻場を構成したりする。内部に充填した貝殻は、飼料生物を生育させる養分を海中に溶出させる働きも有するが、胞子の付着や海藻の定着を主目的とする。これから、本発明は、貝殻同様に胞子を付着させ、海藻を定着させる不定形物、例えばコンクリートや岩石等の破砕物、又は前記破砕物と貝殻とを混在させて通水性ケースに充填してもよい。以下、説明の便宜上、前記不定形物を含めた充填物を貝殻で代表する。
【００１５】
本発明の通水性ケースは、側面が底面に向かって窄む錐台状のケース本体の広い開口部から底面に向けて貝殻を投入させることにより、ケース本体の側面と底面とが交差する隅にまで隙間なく貝殻をケース本体の内部に充填できるようにする。これは、投入される貝殻が、傾斜した側面に沿って押し込まれていくことにより、側面と貝殻との間に隙間を形成しないことを意味する。このほか、側面を傾斜させることにより、例えばケース本体を樹脂一体成形にした場合、内部を形成する金型が抜きやすくなる利点も得られる。
【００１６】
貝殻の充填量を増やす場合、当然にケース本体が大きくなり、ケース本体が撓みやすくなる。そこで、ケース本体に補強外枠を設けるとよい。この場合、ケース本体は、ケース本体の底面中心と前記ケース本体の開放端の他端を塞いだ蓋体中心とを結ぶ軸線に直交する仮想面に倣った補強外枠を前記底面及び開放端の他端に沿って設け、前記補強外枠それぞれに取付部を形成することが好ましい。「ケース本体の底面中心と前記ケース本体の開放端の他端を塞いだ蓋体中心とを結ぶ軸線に直交する仮想面に倣った」とは、ケース本体の延在直交方向（軸線の直交方向）の横断面（仮想面）に平行であることを意味し、通常、ケース本体の延在方向（軸線の延在方向）に沿った側面に直交する平面になる。
【００１７】
ケース本体に設けた補強外枠は、ケース本体に対する補強要素であることはもちろん、側面の両端を固定して動きを抑制又は防止し、側面相互の角度を保持する保形要素でもある。また、補強外枠は、通水性ケースを鋼製枠体又はコンクリートブロックに対する取付部をケース本体から遠ざけ、取付構造の設計自由度を高める。補強外枠は、こうした働きを有すれば構造又は材質を問わず、ケース本体と一体に形成してもよいし、別体として後からケース本体に取り付けてもよい。
【発明の効果】
【００１８】
本発明の通水性ケースは、ケース本体を錐台状にすることにより、側面と貝殻との間に隙間を形成することなく貝殻を押し込み、ケース本体に充填できる貝殻の量を増やす効果がある。錐台状のケース本体は、断面四角形のケース本体に比べて容積が若干少なくなるが、隙間なく貝殻を充填できる結果、実際に充填できる貝殻の量が増える。これにより、ケース本体に充填された貝殻が互いに動かない密な状態となるので、例えば激しい海流の影響でケース本体の側面が撓み、貝殻が互いがぶつかって破損し、散逸する事態が回避できる効果ももたらされる。こうした貝殻の量を増やす効果は、ケース本体の外観形状（側面の傾斜）によりもたらされる構造的な効果であり、側面の素材や構造を限定しない。これにより、本発明は、充填できる貝殻の量を増やす効果を、素材を限定せず、様々な構造の通水性ケースに享受させることができる。
【００１９】
ケース本体に設ける補強外枠は、側面の両端を固定し、側面相互の角度を保持する働きにより、側面の撓みを抑制又は防止する。これにより、激しい海流の影響で前記側面が撓み、貝殻が互いがぶつかって破損し、散逸する事態が回避できる。補強外枠は、ケース本体下方に隙間を形成して通水性ケースを載置できるようにし、通水面であるケース本体の底面（側面）から内部に海水が流れ込めるようにする。これにより、ケース本体に充填した貝殻に海水が行き渡らない状態をなくす効果が得られる。
【００２０】
また、補強外枠は、ケース本体に設けることが難しい取付部を設けたり、異なる対象毎の取付部を併せて設けたりすることができるため、取付対象を選ばずに通水性ケースを固定又は設置できるようにする効果をもたらす。既述したように、本発明は、充填できる貝殻の量を増やす効果を、素材を限定せず、様々な構造の通水性ケースに享受させることができるため、補強外枠により通水性ケースの取付対象に限定がなくなることは、本発明を様々な人工魚礁や人工藻場に利用できるようにする効果となる。
【図面の簡単な説明】
【００２１】
【図１】本発明を適用した通水性ケースの一例を構成するケース本体及び蓋体を並べた右側面図である。
【図２】本例の通水性ケースのケース本体及び蓋体を並べた平面図である。
【図３】本例の通水性ケースのケース本体のみの底面図である。
【図４】本例の通水性ケースのケース本体のみの背面図である。
【図５】本例の通水性ケースのケース本体のみの正面図である。
【図６】本例の通水性ケースの蓋体のみの正面図である。
【図７】本例の通水性ケースの蓋体のみの背面図である。
【図８】図１中Ｂ−Ｂ断面図である。
【図９】図１中Ｃ−Ｃ断面図である。
【図１０】図２中Ｄ−Ｄ断面図である。
【図１１】図１中Ａ矢視部部分拡大図である。
【図１２】別例の通水性ケースの図11相当部分拡大図である。
【図１３】本例の通水性ケースのケース本体を積み重ねる状態を表す部分拡大断面図である。
【図１４】蓋体を装着した本例の通水性ケースのケース本体を積み重ねる状態を表す部分拡大断面図である。
【図１５】通水性ケースをコンクリートブロックに一体化した魚礁要素を表す右側面図である。
【図１６】通水性ケースをコンクリートブロックに一体化した魚礁要素を表す平面図である。
【図１７】通水性ケースをコンクリートブロックに一体化した魚礁要素を表す正面図である。
【図１８】コンクリートブロックに一体化した魚礁要素を構成する通水性ケースに貝殻を充填した状態を表す斜視図である。
【図１９】通水性ケースを鋼製枠体に一体化した魚礁要素を表す右側面図である。
【発明を実施するための形態】
【００２２】
以下、本発明を実施するための形態について図を参照しながら説明する。本発明が適用される通水性ケース１は、例えば図１〜図10に見られるように、八角錐台状のケース本体２と、前記ケース本体２の開口部23を着脱自在に塞ぐ八角形外形の蓋体３とから構成される。本例の通水性ケース１は、ケース本体２の８面ある側面21及び八角形外形の底面22がいずれも通水面で、八角形外形の蓋体３も同様に通水面である。本発明の通水性ケース１は、側面21、底面22又は蓋体３のいずれかが通水面であればよいが、本例は軽量化も考慮して、前記側面21、底面22及び蓋体３すべてを通水面としている。
【００２３】
ケース本体２は、例えば高密度ポリエチレンを用いた射出成形による一体成形品として製造できる。本例のケース本体２は、８枚の長尺な台形状通水面である側面21に囲まれた八角錐台状で、面積の狭い開放端の一方（図１及び図２中右、図４参照）を八角形外形通水面である底面22で塞ぎ、面積の広い前記ケース本体２の開放端の他方（図１及び図２中左、図５）をそのまま八角形外形の開口部23とした容器である。本例のケース本体２は、後述するように、底面22及び開口部23の外周に補強外枠４を設けると共に、前記補強外枠４に渡って、隣り合う側面21が交差する境界縁外側に幅の広い補強桟215を架設している。
【００２４】
八角形断面であるケース本体２は、隣り合う側面の交差角度が135度（鈍角）で、対向位置関係にある側面21,21同士の最短直線距離を直径とする断面円形のケース本体に比べると、貝殻の充填できる空間の大きいことが理解される（図８中仮想線表示の円参照）。また、八角形断面であるケース本体２は、鈍角に交差する側面21,21の隅に近づけて貝殻５を充填できる（図５中仮想線表示参照）。こうして、八角形断面であるケース本体２は、貝殻が充填されない隙間を減らし、充填できる貝殻の量を増やしている。
【００２５】
また、八角錐台状であるケース本体２は、開口部23から底面22に向かって側面21が傾斜して窄んでいるから、開口部23から投入される貝殻が、傾斜した側面21に沿って押し込まれ、側面21と貝殻５との間に隙間を形成しにくい（図10仮想線表示参照）。これによっても、貝殻が充填されない隙間を減らし、充填できる貝殻の量を増やしている。本例のケース本体２は、補強外枠４の外形を等しくしているため、底面22及び開口部23それぞれで側面21が突き当たる補強外枠４の環状フランジ41の余白の大きさが異なる。また、八角錐台状のケース本体２は、ケース本体２を樹脂一体成形にした場合、内部を形成する金型を抜きやすくしている。側面21の傾斜角度は、ケース本体２の底面22中心と開口部23中心（前記開口部23を塞いだ蓋体３中心）とを結ぶ軸線（図１及び図２参照）に対して０度（平行）〜10度が適当である。
【００２６】
側面21は、略方形状（正確には台形状）の通水孔212を囲む桟211の外側平面に、前記桟211の交差間隔より短い長さの断面方形である凸条213を互いが交差しないように設け、桟211の外側平面と凸条213の側面との間に段差部214を構成している（図11参照）。通水性ケース１に対して流れてくる海水Ｗは、段差部214をかすめて流れ、前記段差部214に海水Ｗの滞留域Ｓが形成され、胞子を段差部214に付着させる。また、滞留域Ｓが海水Ｗの勢いを削いだり、流れを乱したりして、前記海水中の胞子を拡散させて多くの貝殻に付着させる（図11参照）。凸条213は、側面21の剛性を高める補強リブとしても働く。
【００２７】
段差部214は、図12に見られるように、円形の通水孔212を多数設けたパンチングメタルを側面21とし、断面方形である樹脂製の凸条213が交差するメッシュ状体を前記側面21の外側表面に貼着しても構成できる。この場合、側面21の剛性は、パンチングメタルである側面21自体により確保される。凸条213が交差するメッシュ状体は、金属製として、パンチングメタルである側面21に溶接により固定してもよい。
【００２８】
本例の側面21は、底面22及び開口部23それぞれに沿って設けた補強外枠４の取付部42を水平面に接地させた姿勢（図１参照）で、水平面又は垂直面に平行な４面の幅が広く、前記４面に挟まれた斜めの４面の幅が狭い。幅の広い側面21は、補強外枠４の環状フランジ41,41に挟まれた端部に、軽量化のために刳り貫かれた長方形外形の肉抜き孔418と共に、蓋体３の掛止爪321,322を掛止させる長方形外形の掛止孔416,417を設けている。幅の狭い側面21は、上方の２面のみ、補強外枠４の環状フランジ41,41に挟まれた端部に、軽量化のために刳り貫かれた長方形外形の肉抜き孔418を設けている。
【００２９】
掛止孔416は、蓋体３の長い掛止爪321に合わせて、開口部23に平行な長辺が前記開口部23から遠い位置にあり、隣り合う肉抜き孔418より小さい。これに対し、掛止孔417は、蓋体３の短い掛止爪322に合わせて、開口部23に平行な長辺が前記開口部23に近い位置にあり、隣り合う肉抜き孔418と同じ大きさになっている。掛止孔416,417は、蓋体３の掛止爪321,322を同じ長さにすれば、同じ形状にできる。また、掛止孔416,417は、すべて肉抜き孔418と違う形状にしてもよい。
【００３０】
補強外枠４は、ケース本体２の底面22中心と開口部23中心（前記開口部23を塞いだ蓋体３中心）とを結ぶ軸線（図１及び図２参照）に直交する仮想面に倣って、前記底面22及び開口部23それぞれに沿って設けられた２枚の環状フランジ41,41と、前記環状フランジ41の底辺部分に沿って左右に設けられた一対の取付部42,42とから構成される。本例の補強外枠４は、２枚の環状フランジ41,41の間に補強フランジ411を複数枚架設し、ケース本体２の補強要素として必要充分な剛性を確保し、隣り合う側面21,21の交差角度等を保つ保形性を発揮している。
【００３１】
各補強外枠４を構成する２枚の環状フランジ41,41のうち、対向位置関係にある内側の環状フランジ41は、特に何も設けられていない（図９参照）が、底面22や開口部23を囲む外側の環状フランジ41は、左右の取付部42,42に挟まれた範囲に方形状の噛み込み孔412を並べ、前記噛み込み孔412を横断する位置ズレ防止リブ413を外側の面に設け、各側面21宛に２個ずつ紐通し孔414,414を設けている。
【００３２】
また、底面22を囲む外側の環状フランジ41は、前記紐通し孔414に沿って直線状又はＬ字状のスペーサリブ415を設け（図４参照）、開口部23を囲む外側の環状フランジ41は、前記開口部23を囲む環状のスペーサリブ415を設けている（図５参照）。底面22を囲む外側の環状フランジ41に設けたスペーサリブ415は、紐通し孔414周囲を補強し、開口部23を囲む外側の環状フランジ41に設けたスペーサリブ415は、開口部23周囲を補強する働きも有する。
【００３３】
噛み込み孔412は、補強外枠４の底辺部分をコンクリートブロック６（図17参照）に埋め込む際、噛み込み孔412を介して環状フランジ41に跨がってコンクリートを固化させることにより、前記コンクリートブロック６に対してケース本体２を強固に取り付けられるようにする。位置ズレ防止リブ413は、底面22又は開口部23を下に向けて立てた姿勢のケース本体２を積層する際、上下段のケース本体２,２相互が位置ズレしないように係合する（図13参照）。
【００３４】
紐通し孔414は、ケース本体２に対して魚礁要素（図15以下参照）を構築するための補助具等、例えば胞子付着紐７（図18参照）を通して補強外枠４,４間に架設させる。スペーサリブ415は、ケース本体２を立てた姿勢で積層する際、底面22及び開口部23を囲む環状フランジ41が接面せず、一定の間隔（＝スペーサリブ415の厚み）で前記環状フランジ41を対向させる。スペーサリブ415の一部は、上下段のケース本体２,２の動きによっては互いに係合し、上述した位置ズレ防止リブ423同様の働きを有する。
【００３５】
取付部42は、２枚の環状フランジ41,41の間にボルト孔421を設けた座面422を架設して構成される。座面422は、ボルト頭が嵌合する折れ曲がり壁面でボルト孔421を囲っている。ケース本体２をコンクリートブロック６（図17参照）に埋め込む際、２枚の環状フランジ41,41の間がコンクリートで塞がれるが、前記環状フランジ41,41の間に残存する空気は２枚の環状フランジ41,41の間に設けられた肉抜き孔418から排出される。取付部42を設けた部分は、肉抜き孔418が設けられないから、本例のケース本体２は、別途空気抜き孔423を設けている。
【００３６】
開口部23は、ケース本体２の八角形状の開放端の他端であり、開放端の他端に面一である補強外枠４の環状フランジ41から蓋体３の厚みに等しい段差で凹んだ八角形状の環状嵌合部231と、前記環状嵌合部231の前記環状フランジ41と平行な環状面に形成した八角形状の環状リブ232とから構成される。蓋体３は、八角形状の蓋嵌合リブ32を前記環状リブ232に被せて環状嵌合部231内に収まり、掛止爪321,322をそれぞれ対応する掛止孔416,417に掛止して、開口部23を塞ぐ。
【００３７】
底面22は、ケース本体２の八角形状の開放端の一端を塞いだ部分で、開放端の一端に面一である補強外枠４の環状フランジ41から蓋体３の厚みに等しい段差を介して形成された八角形状の凸面として構成される。本例の底面22は、側面21同様に構成された通水面で、方形状の通水孔222を囲む桟221の外側平面に、前記桟221の交差間隔より短い長さの断面方形である凸条223を互いが交差しないように設け、桟221の外側平面と凸条223の側面との間に段差部224を構成している（図11参照）。
【００３８】
通水性ケース１に対して流れてくる海水Ｗは、段差部224をかすめて流れ、前記段差部224に海水Ｗの滞留域Ｓが形成され、胞子を段差部224に付着させる。また、滞留域Ｓが海水Ｗの勢いを削いだり、流れを乱したりして、前記海水中の胞子を拡散させて多くの貝殻に付着させる（図11参照）。凸条223は、底面22の剛性を高める補強リブとしても働く。
【００３９】
底面22の段差部224も、上記側面21の段差部214同様、円形の通水孔222を多数設けたパンチングメタルを底面22とし、断面方形である樹脂製の凸条223が交差するメッシュ状体を前記底面22の外側表面に貼着しても構成できる（図12参照）。この場合、側面21の剛性は、パンチングメタルである側面21自体により確保される。凸条213が交差するメッシュ状体は、金属製として、パンチングメタルである側面21に溶接により固定してもよい。
【００４０】
蓋体３は、例えば高密度ポリエチレンを用いた射出成形品で、開口部23の環状嵌合部231に収まる平面視八角形状の蓋嵌合リブ32で本体面31を囲んで構成される。ケース本体２に設けた掛止孔416,417に掛止する掛止爪321,322は、それぞれ幅の広い側面21に対応する蓋嵌合リブ32の長辺外周側に２個ずつ設けられる。本例の本体面31は、側面21又は底面22同様に構成された通水面で、方形状の通水孔312を囲む桟311の外側平面に、前記桟311の交差間隔より短い長さの断面方形である凸条313を互いが交差しないように設け、桟311の外側平面と凸条313の側面との間に段差部314を構成している（図11参照）。
【００４１】
ケース本体２に蓋体３を装着すると、通水性ケース１に対して流れてくる海水Ｗは、段差部314をかすめて流れ、前記段差部314に海水Ｗの滞留域Ｓが形成され、胞子を段差部314に付着させる。また、滞留域Ｓが海水Ｗの勢いを削いだり、流れを乱したりして、前記海水中の胞子を拡散させて多くの貝殻に付着させる。凸条313は、本体面31の剛性を高める補強リブとしても働く。
【００４２】
段差部314は、図12に見られるように、円形の通水孔312を多数設けたパンチングメタルを蓋体３の本体面31とし、断面方形である樹脂製の凸条313が交差するメッシュ状体を前記蓋体３の本体面31の外側表面に貼着しても構成できる。この場合、蓋体３の本体面31の剛性は、パンチングメタルである本体面31自体により確保される。凸条313が交差するメッシュ状体は、金属製として、パンチングメタルである本体面31に溶接により固定してもよい。
【００４３】
本例のケース本体２は、底面22が開口部23の環状嵌合部231に嵌まり込む大きさで、図13に見られるように、上段のケース本体２の底面22を、下段のケース本体２の開口部23に嵌め込んで、上下方向に積み重ねることができる。また、本例の蓋体３は、開口部23の環状嵌合部231に嵌まり込み、かつ本体面31を囲む蓋嵌合リブ32の内側が底面22の嵌まり込む大きさである。このため、本例のケース本体２は、図13に見られるように、上段のケース本体２の底面22を、下段のケース本体２の開口部23に装着した蓋体３に嵌め込んでも、上下方向に積み重ねることができる。
【００４４】
いずれの場合も、上段のケース本体２の底面22を囲む環状フランジ41に設けたスペーサリブ415が下段のケース本体２の開口部23を囲む環状フランジ41に当接し、また下段のケース本体２の開口部23を囲む環状フランジ41に設けたスペーサリブ415が上段のケース本体２の底面22を囲む環状フランジ41に当接して、環状フランジ41,41同士の接面を防止している。また、上段のケース本体２の底面22を囲む環状フランジ41に設けた位置ずれ防止リブ413と、下段のケース本体２の開口部23を囲む環状フランジ41に設けた位置ズレ防止リブ413とが互い違いに並び、上下段のケース本体２の位置ズレを防止する。
【００４５】
本例の通水性ケース１は、例えば図15〜図18に見られるように、貝殻５を充填したケース本体２の補強外枠４の底辺部分をコンクリートブロック６に埋め込んで、魚礁要素を構成する（図15〜図17は、図示の便宜上、貝殻５を略）。本例の魚礁要素は、１個の通水性ケース１に１基のコンクリートブロック６が割り当てられた構成で、魚礁要素自体を１基の人工魚礁として多数基を並べて沈設したり、魚礁要素を組み付けたり、他の魚礁要素又は構造要素に取り付けて大きな人工魚礁を構成したりする。
【００４６】
コンクリートブロック６は、中央に長方形状の開口62を有する平面視長方形枠体である環状ベース61の四隅それぞれから、逆四角錐台状の接地脚63を下ろした構造である。通水性ケース１は、環状ベース61の開口62を長手方向（図15及び図16中左右方向）に跨がり、ケース本体２の底面22及び開口部23それぞれを囲む補強外枠４の底辺部分を、環状ベース61の上面側に埋め込んでいる。このとき、補強外枠４の底辺に沿って並べた複数の噛み込み孔412にコンクリートが噛み込み、ケース本体２は強固に環状ベース61と一体化される。環状ベース61は、運搬時等のクレーンの吊り下げ基部となる金属製の吊下ループ64（図18中図示略）を、通水性ケース１と平行に２本ずつ埋め込んでいる。
【００４７】
通水性ケース１は、補強外枠４の底辺部分のみをコンクリートブロック６に埋め込むため、ケース本体２の底面側が前記コンクリートブロック６に対して隙間を残して離れている。本例のコンクリートブロック６は、通水性ケース１の下方に開口62を形成している。そして、接地脚63が海底に接地することにより、環状ベース61の底面が海底から離れるため、通水性ケース１が跨ぐ開口62下方から十分に海水が流れ込むようになっている。これにより、蓋体３をケース本体２に装着した本例の通水性ケース１は、６方向全部から海水が流れ込むようになっている。
【００４８】
魚礁要素は、通水性ケース１に貝殻５を充填するだけでなく、ケース本体２の補強外枠４に設けた紐通し孔414に、海藻の胞子を付着させた胞子付着紐７を挿通、掛け回して取り付けることができる（図18参照）。胞子付着紐７は、段差部214,224,314を設けた通水性ケース１や充填した貝殻５に胞子が付着する機会を増やすと共に、自身が海藻を生育して、魚礁要素周辺に水棲生物の生息環境を迅速かつ確実に構築させる。
【００４９】
本例の通水性ケース１は、ケース本体２に設けた補強外枠４の取付部42に、ボルト孔421を設けていることから、図19に見られるように、H型鋼材やアングル材で組まれた鋼製枠体８に対して、樹脂製ボルト81及び樹脂製ナット82で固定し、取り付けることができる。通水性ケース１の固着手段として、金属製ボルト及び金属製ナットを用いることも考えられるが、樹脂製ボルト81及び樹脂製ナット82は発錆せず、固着手段として劣化、破損しないことから、鋼製枠体８に通水性ケース１を固定する固着手段として好適である。
【００５０】
通水性ケース１は、ケース本体２に設けた補強外枠４の底辺部分に沿って左右に設けられた一対の取付部42,42を鋼製枠体８に固定することから、ケース本体２の底面側となる側面21が鋼製枠体８に接面することがなく、海水が流れ込む隙間が形成され、通水性ケース１内の貝殻５（図18参照）へ海水を十分に供給できる。また、取付部42は、ケース本体２の各側面21から離れて構成されているので、鋼製枠体８に対して樹脂製ボルト81及び樹脂製ナット82を締め付ける取付作業が容易にできる利点もある。
【符号の説明】
【００５１】
１  通水性ケース
２  ケース本体
21  側面
214  段差部
22  底面
224  段差部
23  開口部
３  蓋体
31  本体面
314  段差部
32  蓋嵌合リブ
４  補強外枠
41  環状フランジ
42  取付部
５  貝殻
６  コンクリートブロック
７  胞子付着紐
８  鋼製枠体
【図１】
2014226054.tif 000003
【図２】
2014226054.tif 000004
【図３】
2014226054.tif 000005
【図４】
2014226054.tif 000006
【図５】
2014226054.tif 000007
【図６】
2014226054.tif 000008
【図７】
2014226054.tif 000009
【図８】
2014226054.tif 000010
【図９】
2014226054.tif 000011
【図１０】
2014226054.tif 000012
【図１１】
2014226054.tif 000013
【図１２】
2014226054.tif 000014
【図１３】
2014226054.tif 000015
【図１４】
2014226054.tif 000016
【図１５】
2014226054.tif 000017
【図１６】
2014226054.tif 000018
【図１７】
2014226054.tif 000019
【図１９】
2014226054.tif 000020
【図１８】
2014226054.tif 000021